(57)【特許請求の範囲】
【請求項１】
（ａ）駆動部と、
（ｂ）ボールねじ軸部及びボールナット、並びに該ボールねじ軸部及びボールナットをシールし、油密構造を有する潤滑室を形成するシール部材を備え、前記駆動部を駆動させることによって発生させられた回転を受け、回転運動を直進運動に変換するボールねじ部と、
（ｃ）油供給源と、
（ｄ）該油供給源から供給された潤滑剤を、油供給路と潤滑室とを連結する油路を介して前記ボールナットに直接供給する油供給装置とを有するとともに、
（ｅ）前記ボールナットは、前記シール部材から漏れた潤滑剤を溜めるための密閉された潤滑剤収容室に配設されることを特徴とする射出成形機の潤滑装置。
【請求項２】
前記潤滑剤に含有される摩耗粉の量を検出する摩耗粉検出部を有する請求項１に記載の射出成形機の潤滑装置。
【請求項３】
前記摩耗粉検出部は電磁誘導によって摩耗粉の量を検出する請求項２に記載の射出成形機の潤滑装置。
【請求項４】
前記摩耗粉検出部は潤滑剤の油路における圧力損失によって摩耗粉の量を検出する請求項２に記載の射出成形機の潤滑装置。
【請求項５】
前記潤滑剤を冷却するための油冷却装置を有する請求項１に記載の射出成形機の潤滑装置。
【発明の詳細な説明】
【０００１】
【発明の属する技術分野】
本発明は、射出成形機の潤滑装置に関するものである。
【０００２】
【従来の技術】
従来、射出成形機においては、加熱シリンダ内において加熱され溶融させられた樹脂を、高圧で射出し、金型装置内のキャビティ空間に充填（てん）し、該キャビティ空間内において冷却して固化させて成形品にするようになっている。
【０００３】
前記射出成形機は金型装置、型締装置及び射出装置を有する。そして、前記金型装置は固定側金型ユニット及び可動側金型ユニットを備え、前記型締装置によって前記可動側金型ユニットを進退させることにより、金型装置の型閉じ、型締め及び型開きが行われる。また、前記射出装置は、加熱シリンダ、及び該加熱シリンダ内において回転自在に、かつ、進退自在に配設されたスクリューを備える。そして、該スクリューを前進させることによって、加熱シリンダの先端に取り付けられた射出ノズルから樹脂が射出され、金型装置内のキャビティ空間に充填されるようになっている。
【０００４】
また、前記射出装置は、射出成形機のフレーム上に支持された射出装置本体、及び可塑化移動装置を備え、該可塑化移動装置を作動させることによって、加熱シリンダを進退させ、射出ノズルの前端に形成されたノズル口を前記固定側金型ユニットの固定プラテンに対して接離させることができる。そして、前記ノズル口を固定プラテンに接触させた状態で前記射出ノズルから樹脂が射出される。
【０００５】
ところで、前記射出成形機には、型締め用のモータ、射出用のモータ、移動用のモータ等の駆動部が配設されていて、該駆動部を駆動することによって発生させられた回転が、ボールねじに伝達され、該ボールねじにおいて回転運動が直進運動に変換されるようになっている。
【０００６】
前記ボールねじは、ボールねじ軸、及び該ボールねじ軸と螺（ら）合させられるボールナットを備える。そして、前記ボールねじ軸とボールナットとはボールを介して摺（しゅう）動させられるので、回転運動が直進運動に変換されるのに伴ってボールねじ軸及びボールナットとボールとの間に摩擦が発生する。そこで、前記ボールナットの内周面と、ボールねじ軸の外周面におけるボールナット内の部分との間、すなわち、螺合部に、ボールナットに形成された潤滑剤供給口を介して潤滑剤としてグリースを供給し、摩擦が発生するのを抑制するようにしている。なお、前記螺合部によって被潤滑部が構成される。
【０００７】
【発明が解決しようとする課題】
しかしながら、前記従来の射出成形機においては、潤滑剤としてグリースが使用されているが、グリースの循環性が悪いので、潤滑剤供給口の近傍だけが潤滑され、被潤滑部の全体を均一に潤滑することができない。
【０００８】
また、グリースは、粘度が高いので、使用されたグリースを回収することが困難であるだけでなく、高価であるので、射出成形機のコストが高くなってしまう。
【０００９】
本発明は、前記従来の射出成形機の問題点を解決して、被潤滑部の全体を均一に潤滑することができ、使用された潤滑剤を容易に回収することができ、コストを低くすることができる射出成形機の潤滑装置を提供することを目的とする。
【００１０】
【課題を解決するための手段】
そのために、本発明の射出成形機の潤滑装置においては、ボールねじ軸部及びボールナット、並びに該ボールねじ軸部及びボールナットをシールし、油密構造を有する潤滑室を形成するシール部材を備え、前記駆動部を駆動させることによって発生させられた回転を受け、回転運動を直進運動に変換するボールねじ部と、油供給源と、該油供給源から供給された潤滑剤を、油供給路と潤滑室とを連結する油路を介して前記ボールナットに直接供給する油供給装置とを有する。
そして、前記ボールナットは、前記シール部材から漏れた潤滑剤を溜めるための密閉された潤滑剤収容室に配設される。
【００１７】
【発明の実施の形態】
以下、本発明の実施の形態について図面を参照しながら詳細に説明する。
【００１８】
図１は本発明の第１の実施の形態における射出装置の要部を示す概略図、図２は本発明の第１の実施の形態における射出装置の概略図、図３は本発明の第１の実施の形態における被潤滑部を示す断面図である。なお、図１及び２と図３とは、ボールナット３５の前後が逆に示される。
【００１９】
図において、１１はシリンダ部材としての加熱シリンダ、１２は該加熱シリンダ１１内において回転自在に、かつ、進退（図２において左右方向に移動）自在に配設された射出部材としてのスクリューであり、前記加熱シリンダ１１の前端（図２において左端）に図示されない射出ノズルが取り付けられ、該射出ノズルにノズル口が形成される。
【００２０】
前記スクリュー１２は、スクリュー本体、及び該スクリュー本体の前端に取り付けられた図示されないスクリューヘッドを備え、スクリュー本体の外周面に図示されないフライトが螺旋状に形成され、該フライトによって螺旋状の溝が形成される。
【００２１】
前記加熱シリンダ１１の後端（図２において右端）は、前方射出サポート６１に取り付けられ、該前方射出サポート６１と所定の距離を置いて後方射出サポート６２が配設される。前記前方射出サポート６１は、箱状の本体６１ａ及びカバー６１ｂから成る。そして、前記前方射出サポート６１と後方射出サポート６２との間に複数のロッド６３（図２においては、一つのロッド６３だけが示される。）が架設され、該ロッド６３によって前記前方射出サポート６１と後方射出サポート６２との間に所定の距離が保持される。また、前方射出サポート６１、後方射出サポート６２及びロッド６３によって射出枠が構成される。
【００２２】
そして、前記スクリュー１２の後端には、カプラ５９を介して円板形の形状を有する連結体６４が一体的に取り付けられ、該連結体６４に筒状の支持体６５がボルトｂｔ１を介して取り付けられる。なお、前記連結体６４及び支持体６５によって、スクリュー１２と一体に回転させられ、かつ、軸方向に移動させられる回転摺動部材６８が構成される。前記支持体６５は軸方向においてスクリュー１２のストローク分の長さを有し、外周面に雄スプライン６７が形成される。
【００２３】
前記回転摺動部材６８に回転を伝達してスクリュー１２を回転させるために、前記回転摺動部材６８の外周を包囲するように筒状の回転部材７８が配設され、該回転部材７８の後端に、内周面に雌スプラインが形成されたスプラインナット７９がボルトｂｔ２によって取り付けられる。前記回転部材７８は、前記前方射出サポート６１に対してベアリングｂ１、ｂ２によって回転自在に支持される。
【００２４】
そして、第１の駆動部としての電動の計量用モータ７０が配設され、該計量用モータ７０は、計量工程において駆動されて回転摺動部材６８を回転させ、射出工程において、拘束力を発生させて回転摺動部材６８の回転を停止させる。前記計量用モータ７０は、図示されないステータ、該ステータの径方向における内方に配設された図示されないロータ、出力軸７４、及び該出力軸７４に取り付けられ、計量用モータ７０の回転速度を検出する第１のエンコーダ７０ａを備える。なお、前記計量用モータ７０は第１のエンコーダ７０ａの検出信号に基づいて制御される。
【００２５】
そして、前記計量用モータ７０と前記回転摺動部材６８との間に、出力ギヤ７５、カウンタドライブギヤ７６、カウンタドリブンギヤ７７及び前記回転部材７８が配設され、前記出力軸７４に出力ギヤ７５が取り付けられ、出力ギヤ７５とカウンタドライブギヤ７６とが噛（し）合させられ、カウンタドライブギヤ７６とカウンタドリブンギヤ７７とが噛合させられ、カウンタドリブンギヤ７７が回転部材７８にボルトｂｔ３によって取り付けられる。なお、前記出力ギヤ７５、カウンタドライブギヤ７６及びカウンタドリブンギヤ７７によって回転を伝達する第１の伝動機構が構成される。
【００２６】
前記出力ギヤ７５、カウンタドライブギヤ７６、カウンタドリブンギヤ７７及び回転部材７８は、回転部材７８に対する回転摺動部材６８の軸方向における相対的な移動を許容しながら、前記計量用モータ７０が駆動されて発生させられた回転を回転摺動部材６８に伝達する。そのために、該回転摺動部材６８は、前記回転部材７８に対して回転不能に、かつ、軸方向に移動自在に配設される。また、前記回転部材７８の前端において、回転部材７８の内周面と連結体６４の外周面とがシール６０を介して摺動自在に接触させられ、前記回転部材７８の後端において、前記雌スプラインと前記雄スプライン６７とが摺動自在にスプライン係合させられる。なお、前記スプラインナット７９及び支持体６５によって第１の回転伝達部が構成され、前記スプラインナット７９によって第１の伝達要素が、支持体６５によって第２の伝達要素が構成される。
【００２７】
したがって、前記計量用モータ７０を駆動することによって出力軸７４を回転させると、出力軸７４の回転が出力ギヤ７５、カウンタドライブギヤ７６、カウンタドリブンギヤ７７及び回転部材７８を介して前記回転摺動部材６８に伝達され、該回転摺動部材６８が正方向、又は必要に応じて逆方向に回転させられ、スクリュー１２が回転させられる。さらに、前記計量用モータ７０の駆動を停止させ、拘束力を発生させて出力軸７４を停止させると、回転摺動部材６８の回転が停止させられ、スクリュー１２の回転も停止させられる。
【００２８】
そして、前記回転摺動部材６８より後方（図２において右方）に、第２の駆動部としての電動の射出用モータ９０が配設され、該射出用モータ９０は、射出工程において駆動される。前記射出用モータ９０は、後方射出サポート６２にロードセル９６を介して固定され、前環状体９１ａ、スリーブ９１ｂ及び後プレート９１ｃから成るケース９１、該ケース９１に取り付けられたステータ９２、該ステータ９２の径方向における内方に配設されたロータ９３、該ロータ９３に取り付けられた中空の出力軸９４、該出力軸９４を前記ケース９１に対して回転自在に支持するベアリングｂ５、ｂ６、並びに前記出力軸９４に取り付けられ、射出用モータ９０の回転速度を検出する図示されない第２のエンコーダを備える。なお、前記出力軸９４の内周面の軸方向におけるほぼ中央の部分はスプラインナット３６として機能し、該スプラインナット３６の内周面に雌スプラインが形成される。また、前記射出用モータ９０は前記第２のエンコーダの検出信号に基づいて制御される。
【００２９】
そして、前記射出用モータ９０を駆動することによってスクリュー１２を進退させるために、回転摺動部材６８と射出用モータ９０との間に、前方（図１及び２において左方）から後方にかけて、伝動軸２１、第１の運動方向変換部としてのベアリングボックス２２及び伝動ユニット２３が配設される。
【００３０】
前記伝動軸２１は、前端から後端にかけて形成された、小径のシャフト部８４、及び該シャフト部８４に隣接させて一体に形成された大径のシャフト部８５から成り、シャフト部８４の後端に、前記シャフト部８４、８５間の段部に当接させて環状フランジ部材８９が外嵌（かん）される。そして、前記伝動軸２１は、前端部（図２において左端部）においてベアリングｂ３によって、中央部において前記環状フランジ部材８９を介してベアリングｂ４によって、回転摺動部材６８を回転自在に、かつ、軸方向に移動不能に支持する。また、前記シャフト部８４の前端部に図示されない雄ねじが形成され、該雄ねじと螺合させてベアリングナット８０が配設される。したがって、該ベアリングナット８０を締め付け、ベアリングナット８０及び環状フランジ部材８９によってベアリングｂ３、ｂ４を挟むことにより、伝動軸２１を回転摺動部材６８に対して位置決めすることができる。
【００３１】
また、前記伝動ユニット２３は、前端から後端にかけて順に形成された、小径の軸部３１、該軸部３１に隣接させて一体に形成されたねじ軸部としての大径のボールねじ軸部３２、該ボールねじ軸部３２に隣接させて一体に形成され、前記スプラインナット３６とスプライン係合させられるスプライン軸部３３、及び前記ボールねじ軸部３２と螺合させて配設され、ナットとしてのボールナット３５から成る。なお、ボールねじ軸部３２の外周面に雄ねじが、前記スプライン軸部３３の外周面に雄スプラインが形成される。
【００３２】
また、ボールねじ軸部３２によって第１の変換要素が、ボールナット３５によって第２の変換要素が、ボールねじ軸部３２及びボールナット３５によって、ねじ部としてのボールねじ部５０が構成されるとともに、該ボールねじ部５０によって第２の運動方向変換部が構成される。したがって、前記ボールねじ部５０において、射出用モータ９０を駆動することによって発生させられた回転がボールねじ軸部３２に伝達されると、回転運動をボールねじ軸部３２の回転を伴う直進運動、すなわち、回転直進運動に変換する。なお、前記スプラインナット３６及びスプライン軸部３３によって、第２の回転伝達部が構成され、前記スプラインナット３６によって第１の伝達要素が、スプライン軸部３３によって第２の伝達要素が構成される。
【００３３】
また、前記軸部３１、ボールねじ軸部３２及びスプライン軸部３３によって軸ユニット３４が構成される。該軸ユニット３４は、前端部において、ベアリングｂ７、ｂ８によって、ベアリングボックス２２に対して回転自在に支持され、後端部（図１及び２において右端部）において、出力軸９４を介し、ベアリングｂ５、ｂ６によって、ケース９１に対して回転自在に支持される。そして、前記ベアリングボックス２２の内周面におけるベアリングｂ７、ｂ８間に環状の突起３８が形成され、前記軸部３１の前端部に図示されない雄ねじが形成され、該雄ねじと螺合させてベアリングナット３９が配設される。したがって、該ベアリングナット３９を締め付け、ベアリングナット３９、及び軸部３１とボールねじ軸部３２との間に形成された段部によってベアリングｂ７、ｂ８を挟むことにより、伝動ユニット２３をベアリングボックス２２に対して位置決めすることができる。
【００３４】
また、前記ボールナット３５は環状体４１を介してロードセル９６に取り付けられ、前記ボールねじ部５０によってボールねじ軸部３２に発生させられる回転直進運動の反力が、ボールナット３５に加わり、環状体４１を介してロードセル９６に伝達される。したがって、射出用モータ９０を駆動することによってスクリュー１２に発生させられる射出力及び保圧力を、ロードセル９６によって検出することができる。
【００３５】
次に、前記構成の射出装置の駆動方法について説明する。
【００３６】
まず、計量工程時に、前記計量用モータ７０を駆動すると、出力軸７４に発生させられた回転は、出力ギヤ７５、カウンタドライブギヤ７６、カウンタドリブンギヤ７７、回転部材７８及び回転摺動部材６８を介してスクリュー１２に伝達され、該スクリュー１２を正方向に回転させる。
【００３７】
これに伴って、前記加熱シリンダ１１に配設された図示されないホッパから落下した図示されない樹脂が前記スクリュー１２の前記溝内を前進させられ、スクリュー１２が後退（図２において右方に移動）させられ、樹脂がスクリューヘッドの前方に蓄えられる。このとき、スクリュー１２に発生させられる後退力に伴って、伝動軸２１が後退させられ、前記後退力がベアリングｂ７、ｂ８を介して軸ユニット３４に伝達される。したがって、軸ユニット３４は回転しながら後退させられる。
【００３８】
また、射出工程時に、前記計量用モータ７０の駆動が停止させられ、拘束力が発生させられて回転摺動部材６８の回転が停止させられ、この状態で前記射出用モータ９０を駆動することによって出力軸９４を回転させると、出力軸９４の回転は、スプライン軸部３３に伝達され、ボールねじ軸部３２が一体に回転させられる。そして、該ボールねじ軸部３２の回転運動は、ボールねじ軸部３２及びボールナット３５によってボールねじ軸部３２の回転直進運動に変換され、軸部３１を介してベアリングボックス２２に伝達され、該ベアリングボックス２２において前記軸ユニット３４の回転直進運動は、直進運動に変換され、該直進運動は伝動軸２１に出力される。さらに、該伝動軸２１の直進運動は、回転摺動部材６８及びカプラ５９を介してスクリュー１２に伝達される。
【００３９】
このように、射出用モータ９０を駆動することによって、スクリュー１２に直進運動を伝達することができるので、射出用モータ９０を正方向に駆動することによってスクリュー１２を前進（図２において左方に移動）させ、射出用モータ９０を逆方向に駆動することによってスクリュー１２を後退させることができる。
【００４０】
ところで、前記ボールナット３５は、図３に示されるように、ナット本体５１、及び該ナット本体５１の上部に形成された切欠にボルトｂｔ５、ｂｔ６によって固定され、リターンチューブ５２を保持するブロック５３を備え、前記ナット本体５１は、筒状部５４、及び該筒状部５４の後端（図３において左端）に一体的に形成されたフランジ部５５から成る。
【００４１】
そして、前記ボールねじ軸部３２とボールナット３５とが螺合させられ、ボールねじ軸部３２が回転させられるのに伴って、ボールねじ軸部３２の外周面に形成された溝５６、及びボールナット３５の内周面に形成された溝５７によって形成されたほぼ円形のボール通路内を、ボール５８が回転しながら矢印方向に移動させられる。また、ボールねじ軸部３２とボールナット３５とを常に螺合させるために、前記ボール５８をボールナット３５内において循環させるようにしている。なお、５９は振動センサである。
【００４２】
ところで、前記構成の射出成形機においては、前記射出用モータ９０を駆動するのに伴ってボールねじ軸部３２が回転させられると、該ボールねじ軸部３２とボールナット３５とは、ボール５８を介して摺動させられるので、ボールねじ軸部３２及びボールナット３５とボール５８との間に摩擦が発生する。そこで、ボールねじ軸部３２とボールナット３５との螺合部に、潤滑剤として潤滑油を供給し、摩擦が発生するのを抑制するようにしている。なお、前記螺合部によって被潤滑部が構成される。
【００４３】
そのために、前記ナット本体５１の前端（図３において右端）及び後端に、第１、第２のシール部材としてのオイルシール７１、７２が配設され、該オイルシール７１、７２によってボールねじ軸部３２の外周面とボールナット３５の内周面との間がシールされ、前記螺合部を密閉して、油密構造を有する潤滑室８３が形成される。また、ナット本体５１の所定の箇所、例えば、リターンチューブ５２からのボール５８の戻り口の近傍に油供給口８１が、リターンチューブ５２へのボール５８の送り口の近傍に油排出口８２が筒状部５４の壁を貫通させて、かつ、前記潤滑室８３に臨ませて形成される。この場合、油供給口８１を介して潤滑室８３に供給された潤滑油は、潤滑室８３内をボール５８と同じ方向に流れた後、油排出口８２から排出されるので、被潤滑部を十分に潤滑することができる。
【００４４】
そして、前記潤滑室８３に潤滑油を供給するために、油供給装置としての油圧回路１００が配設される。該油圧回路１００において、油供給源としての循環用のポンプ１０２のモータ１０３を駆動すると、油タンク１０１内の潤滑油がフィルタ１０４を介して吸引され、油路Ｌ−１に吐出され、該油路Ｌ−１を介して前記油供給口８１に送られる。また、油排出口８２から排出された潤滑油は、油路Ｌ−２に排出され、油タンク１０１に回収される。なお、前記ベアリングボックス２２、ボールねじ部５０、射出用モータ９０、ポンプ１０２及び油圧回路１００によって射出成形機の潤滑装置が構成される。
【００４５】
ところで、前記後方射出サポート６２と一体に、ベアリングボックス２２、ボールナット３５、環状体４１等を包囲して筒状体４３が形成される。なお、本実施の形態においては、筒状体４３は後方射出サポート６２と一体に形成されるようになっているが、後方射出サポート６２と別体に形成することもできる。
【００４６】
そして、前記筒状体４３とベアリングボックス２２との間をシールするために、ベアリングボックス２２の外周面の所定の箇所に環状の溝４４が形成され、該溝４４に第３のシール部材としてのＯリング４５が収容される。また、前記前環状体９１ａと出力軸９４との間をシールするために、前記前環状体９１ａの内周縁におけるベアリングｂ５より前方に、環状の溝４６が形成され、該溝４６に第４のシール部材としてのＯリング４７が収容される。したがって、前記ベアリングボックス２２、筒状体４３、環状体４１、ロードセル９６及び出力軸９４によって、前記軸ユニット３４及びボールナット３５を包囲し、密閉された潤滑剤収容室としての潤滑油収容室８８が形成される。
【００４７】
そして、前記潤滑室８３に供給され、オイルシール７１、７２とボールねじ軸部３２との間から漏れた潤滑油は、前記潤滑油収容室８８内に溜（た）められ、油路Ｌ−３を介して油タンク１０１に回収される。
【００４８】
このように、潤滑剤として潤滑油が使用されるが、潤滑油の循環性が良いので、油供給口８１の近傍だけでなく、被潤滑部の全体を均一に潤滑することができる。また、使用された潤滑油を油タンク１０１に回収することができるだけでなく、潤滑油が廉価であるので、射出成形機のコストを低くすることができる。
【００４９】
ところで、ボールねじ軸部３２及びボールナット３５とボール５８との間の摩擦によって摩耗粉、例えば、鉄粉が発生するので、前記被潤滑部を潤滑するのに伴って潤滑油に摩耗粉が含有される。そこで、摩耗粉の量を検出することによって、ボールねじ部５０がどの程度摩耗したかを知るようにしている。
【００５０】
そのために、前記油路Ｌ−２に、潤滑油内の摩耗粉の量を表す鉄分量を検出するために摩耗粉検出部としての検出装置１１１が配設され、該検出装置１１１は、前記鉄分量を電磁誘導によって検出し、検出信号を図示されない制御部に送る。該制御部は、前記検出信号を受けると、前記鉄分量が閾（しきい）値を超えたかどうかを判断し、閾値を超えた場合、図示されない表示装置にボールねじ部５０の使用状態を表示する。したがって、操作者は表示装置の表示内容に基づいて、ボールねじ部５０の潤滑不良が発生していること、ボールねじ部５０が使用限界にきていること等の使用状態を認識することができる。なお、油路Ｌ−２を介して油タンク１０１に回収された潤滑油に含有される摩耗粉は、油タンク１０１内に配設された摩耗粉回収除去装置１０５によって除去され、廃棄される。
【００５１】
また、前記油路Ｌ−２における検出装置１１１より下流側に油冷却装置１１２が配設され、該油冷却装置１１２は、潤滑室８３から排出された潤滑油を冷却する。したがって、冷却された後の潤滑油を潤滑室８３に供給し、被潤滑部を冷却することもできる。また、潤滑油が熱によって劣化するのを防止することもできる。
【００５２】
次に、本発明の第２の実施の形態について説明する。なお、第１の実施の形態と同じ構造を有するものについては、同じ符号を付与することによってその説明を省略する。
【００５３】
図４は本発明の第２の実施の形態における油圧回路を示す図である。
【００５４】
この場合、油路Ｌ−２に、上流側から下流側にかけて、圧力センサ１２１、フィルタ１２２及び油冷却装置１１２が配設され、潤滑油に含有される摩耗粉の量を検出するための前記圧力センサ１２１は、油路Ｌ−２における潤滑油の圧力を検出し、検出信号を図示されない制御部に送る。
【００５５】
ところで、潤滑油に含有される摩耗粉の量が多くなると、前記フィルタ１２２によって除去され、フィルタ１２２内に溜められる摩耗粉が多くなり、油路Ｌ−２における潤滑油の圧力損失を表す、フィルタ１２２より上流側の圧力が高くなる。そこで、制御部は、前記検出信号を受けると、前記圧力センサ１２１によって検出された圧力が閾値を超えたかどうかを判断し、閾値を超えた場合、図示されない表示装置にボールねじ部５０（図２）の使用状態を表示する。なお、前記圧力センサ１２１及びフィルタ１２２によって摩耗粉検出部が構成される。
【００５６】
本実施の形態においては、ボールねじ部５０における被潤滑部について説明しているが、可塑化移動装置、型締装置等における被潤滑部に適用することもできる。
【００５７】
なお、本発明は前記実施の形態に限定されるものではなく、本発明の趣旨に基づいて種々変形させることが可能であり、それらを本発明の範囲から排除するものではない。
【００５８】
【発明の効果】
以上詳細に説明したように、本発明によれば、射出成形機の潤滑装置においては、ボールねじ軸部及びボールナット、並びに該ボールねじ軸部及びボールナットをシールし、油密構造を有する潤滑室を形成するシール部材を備え、前記駆動部を駆動させることによって発生させられた回転を受け、回転運動を直進運動に変換するボールねじ部と、油供給源と、該油供給源から供給された潤滑剤を、油供給路と潤滑室とを連結する油路を介して前記ボールナットに直接供給する油供給装置とを有する。
そして、前記ボールナットは、前記シール部材から漏れた潤滑剤を溜めるための密閉された潤滑剤収容室に配設される。
【００５９】
この場合、潤滑剤の循環性が良いので、油供給口の近傍だけでなく、被潤滑部の全体を均一に潤滑することができる。また、使用された潤滑剤を容易に回収することができるだけでなく、潤滑剤が廉価であるので、射出成形機のコストを低くすることができる。
【図面の簡単な説明】
【図１】本発明の第１の実施の形態における射出装置の要部を示す概略図である。
【図２】本発明の第１の実施の形態における射出装置の概略図である。
【図３】本発明の第１の実施の形態における被潤滑部を示す断面図である。
【図４】本発明の第２の実施の形態における油圧回路を示す図である。
【符号の説明】
２２    ベアリングボックス
３２    ボールねじ軸部
３５    ボールナット
５０    ボールねじ部
７１、７２    オイルシール
８８    潤滑油収容室
９０    射出用モータ
１００    油圧回路
１０２    ポンプ
１１１    検出装置
１１２    油冷却装置
１２１    圧力センサ
１２２    フィルタ
Ｌ−２    油路
【図１】
0003811650.tif 000002
【図２】
0003811650.tif 000003
【図３】
0003811650.tif 000004
【図４】
0003811650.tif 000005